(57)【要約】【課題】  圧電素子を風鈴や釣竿などの応用品に適用する場合、その風鈴や釣竿などの取り付け対象物への適用が容易であり、発光素子の十分な発光量を確保することができ、応用品としての趣向を凝らした使用形態を容易に実現する。【解決手段】  機械エネルギーを電気エネルギーに変換する圧電素子３を基材２に貼着し、その基材２に、駆動電源からの供給電力で発光する発光素子４ａ，４ｂ、および前記圧電素子３の変形による出力に基づいて発光素子４ａ，４ｂの発光状態を制御する制御回路５をそれぞれ実装し、前記圧電素子３、発光素子４ａ，４ｂおよび制御回路５が実装された基材２からなるモジュール本体１２を、前記発光素子４ａ，４ｂの少なくとも一部を露呈させた状態で被覆材１３によりモールド一体化する。【選択図】    図１
2006210278.tif 000002
【特許請求の範囲】
【請求項１】
機械エネルギーを電気エネルギーに変換する圧電素子を基材に貼着し、その基材に、駆動電源からの供給電力で発光する発光素子、および前記圧電素子の変形による出力に基づいて発光素子の発光状態を制御する制御回路をそれぞれ実装し、前記圧電素子、発光素子および制御回路が実装された基材からなるモジュール本体を、前記発光素子の少なくとも一部を露呈させた状態で被覆材によりモールド一体化したことを特徴とする圧電発光モジュール。
【請求項２】
前記制御回路は、圧電素子の外部応力による変形でもって発生する電気エネルギーに基づいて前記発光素子の輝度を増加させるスイッチング素子を含む電子部品で回路構成されている請求項１に記載の圧電発光モジュール。
【請求項３】
前記基材に、発光素子を発光させる駆動電源として充電可能な電気二重層キャパシタを実装した請求項１又は２に記載の圧電発光モジュール。
【請求項４】
前記電気二重層キャパシタを充電するための充電用端子を有する請求項３に記載の圧電発光モジュール。
【請求項５】
請求項１〜４のいずれか一項に記載の圧電発光モジュールを、前記圧電素子が外部応力による変形が可能なように竿本体の先端部に取り付け可能としたことを特徴とする竿先ライト。
【請求項６】
前記圧電発光モジュールを竿本体の先端部のサイズに適合したアタッチメントに装着し、そのアタッチメントを竿本体の先端部に着脱自在に取り付け可能とした請求項５に記載の竿先ライト。
【請求項７】
請求項１又は２に記載の圧電発光モジュールを、風体に吊り下げられ、風によって前記風体を打撃するバチ部としたことを特徴とする風鈴。
【請求項８】
前記バチ部の上方に吊り下げられ、電気二重層キャパシタとその電気二重層キャパシタを充電するための太陽電池を含む電源部を付設した請求項７に記載の風鈴。
【発明の詳細な説明】
【技術分野】
【０００１】
本発明は、圧電発光モジュール及びその応用品に関し、詳しくは、圧電素子および発光素子などを被覆材でモールドした圧電発光モジュールと、その圧電発光モジュールを用いた釣竿用竿先ライトや風鈴などの応用品に関する。
【背景技術】
【０００２】
例えば、機械エネルギーを電気エネルギーに変換する圧電素子およびその圧電素子から出力される電気エネルギーによって発光する発光素子を具備した圧電発光品は、従来から種々提案されている。このような圧電素子を利用した応用品として、釣竿や風鈴など様々なものがある（例えば、特許文献１参照）。
【０００３】
この特許文献１に開示された圧電発光装置は、圧電素子に応力を加えた時に発生する電圧を利用して発光ダイオードや照明装置を発光させるもので、あらゆる分野において、応力、衝撃力、振動などの機械的なエネルギーを圧電素子に伝達することにより、圧電素子の発生する起電力により、発光ダイオード等の発光体を発光させることにより、より便利に、より快適な生活環境を作り出すことを可能としたものである。
【０００４】
例えば、この圧電発光装置を風鈴に適用した場合、その風鈴の風を受ける箇所に圧電素子を取り付け、風によって生じる振動により圧電素子に生じる起電力を利用し、発光ダイオード等の発光体を発光させ、装飾として使用できるように構成している（特許文献１の段落番号［００２５］および図１９参照）。
【０００５】
また、圧電発光装置を釣竿に適用した場合、魚釣りに使用する釣竿の先端に圧電素子を取り付け、その釣竿の先端の振動により圧電素子に生じる起電力を利用し、発光体を発光させるように構成している（特許文献１の段落番号［００５３］および図４７参照）。
【特許文献１】特開２００１−３５１４１６号公報
【発明の開示】
【発明が解決しようとする課題】
【０００６】
ところで、前述した圧電発光装置をその応用品として風鈴や釣竿に適用するに際しては、いずれの場合も、その圧電発光装置を発光素子の駆動電源として使用している。つまり、応力、衝撃力、振動などの機械的なエネルギーを圧電素子に伝達することにより、圧電素子の発生する起電力により、発光ダイオード等の発光体を発光させている。
【０００７】
しかしながら、風鈴や釣竿などへの応用品として圧電発光装置を利用する場合、その圧電素子の取り付け対象物が風鈴や釣竿であることから、非常に小さな圧電素子を使用することが多く、そのような圧電素子で発生する起電力も非常に低レベルであり、発光ダイオード等の発光体について十分な発光量を確保することが困難である。
【０００８】
特に、この圧電発光装置を風鈴や釣竿に応用した場合、風鈴や釣竿を比較的離れた場所から発光体の発光状態を認知する使用形態であることから、その発光体の発光量不足は、致命的なものである。
【０００９】
また、無風状態にある風鈴や魚信がない状態の釣竿では、発光体が点灯していない状態となり、風や魚信により発光体が点灯するようになっていることから、発光体の点灯の有無だけで単純な使用形態であり、趣向を凝らしたものであるとは言いがたかった。
【００１０】
さらに、風鈴に応用した場合には、風鈴の本体に圧電素子を取り付けた構造にすると、風鈴の音色を悪化させることになって好ましい手段であるとはいえない。
【００１１】
そこで、本発明は前述の問題点に鑑みて提案されたもので、その目的とするところは、圧電素子を応用品として風鈴や釣竿などに適用する場合、その風鈴や釣竿などの取り付け対象物への適用が容易であり、発光素子の十分な発光量を確保することができ、応用品としての趣向を凝らした使用形態を容易に実現し得る圧電発光モジュール及びその応用品を提供することにある。
【課題を解決するための手段】
【００１２】
前述の目的を達成するため、本発明は以下のような構成要件を具備する。
【００１３】
本発明は、機械エネルギーを電気エネルギーに変換する圧電素子を基材に貼着し、その基材に、駆動電源からの供給電力で発光する発光素子、および前記圧電素子の変形による出力に基づいて発光素子の発光状態を制御する制御回路をそれぞれ実装し、前記圧電素子、発光素子および制御回路が実装された基材からなるモジュール本体を、前記発光素子の少なくとも一部を露呈させた状態で被覆材によりモールド一体化したことを特徴とする。
【００１４】
本発明では、圧電素子を発光素子の駆動電源とすることなく、感度の高い振動型センサとして使用する。つまり、圧電素子とは別個の駆動電源からの供給電力で発光素子を発光させる。これにより、発光素子の十分な発光量を確保することができる。また、圧電素子の変形による出力に基づいて点灯中の発光素子の発光状態を制御する制御回路を具備することから、その発光素子の点灯の有無だけとなるような単調な使用形態となることがなく、例えば点灯中の発光素子の輝度を増減する発光状態など、バリエーションに富んだ発光状態を制御回路により実現することが可能となる。
【００１５】
前述の構成からなる圧電発光モジュールにおいて、圧電素子の外部応力による変形でもって発生する電気エネルギーに基づいて前記発光素子の輝度を増加させるスイッチング素子を含む電子部品で回路構成された制御回路とすれば、発光素子を常時点灯させておき、外部応力により圧電素子が変形した場合にその発光素子の輝度を増加させるように制御すれば、発光素子の発光状態について趣向を凝らした使用形態を容易に実現することができる。
【００１６】
前述の構成からなる圧電発光モジュールにおける基材に、発光素子を発光させる駆動電源として充電可能な電気二重層キャパシタを実装した構成とすることが望ましい。このようにすれば、発光素子の駆動電源として、電池のように電力の消耗による寿命を考慮する必要がなく、交換も必要がない。電気二重層キャパシタの場合、充電が可能であり、コンパクトな駆動電源を実現できる。この場合、電気二重層キャパシタを充電するための充電用端子を設けておくことが好ましい。
【００１７】
本発明に係る圧電発光モジュールの応用品としては、その圧電発光モジュールを、前記圧電素子が外部応力による変形が可能なように竿本体の先端部に取り付け可能とした竿先ライトが可能である。特に、釣竿に適用した場合、圧電発光モジュールを竿本体の先端部のサイズに適合したアタッチメントに装着し、そのアタッチメントを竿本体の先端部に着脱自在に取り付け可能な構造とすることが望ましい。このように圧電発光モジュールをアタッチメントを介して竿本体の先端部に取り付けることにより、多品種の釣竿に迅速に対応した取り付けが可能となる。
また、他の応用品としては、圧電発光モジュールを、風体に吊り下げられ、風によって前記風体を打撃するバチ部とした風鈴が可能である。特に、風鈴に適用した場合、バチ部の上方に吊り下げられ、電気二重層キャパシタとその電気二重層キャパシタを充電するための太陽電池を含む電源部を付設した構造が望ましい。このようにバチ部である圧電発光モジュールと電源部を別体としたことにより、バチ部の軽量化が図れて風によるバチ部の動きをスムーズにすることが可能となる。
【発明の効果】
【００１８】
本発明によれば、機械エネルギーを電気エネルギーに変換する圧電素子を基材に貼着し、その基材に、駆動電源からの供給電力で発光する発光素子、および前記圧電素子の変形による出力に基づいて発光素子の発光状態を制御する制御回路をそれぞれ実装し、前記圧電素子、発光素子および制御回路が実装された基材からなるモジュール本体を、前記発光素子の少なくとも一部を露呈させた状態で被覆材によりモールド一体化したことにより、圧電素子とは別個の駆動電源からの供給電力で発光素子を発光させることで、発光素子の十分な発光量を確保することができる。また、圧電素子の変形による出力に基づいて発光素子の発光状態を制御する制御回路を具備することから、バリエーションに富んだ様々な発光状態をその制御回路により実現することが可能となる。
【００１９】
このような圧電発光モジュールを風鈴や釣竿への応用品として利用した場合、装飾性が豊かで趣向を凝らした風鈴や、夜釣りにうってつけで魚信を確実に認知することができ、アミューズメント性に富んだ釣竿を提供することができる。
【発明を実施するための最良の形態】
【００２０】
まず、本発明に係る圧電発光モジュールの実施形態を以下に詳述する。図１および図２は圧電発光モジュール１の構造例、図３は圧電発光モジュール１の基本回路例をそれぞれ示す。
【００２１】
この実施形態における圧電発光モジュール１は、以下の構造を具備する。図１および図２に示すように薄板短冊状の基材２の片面に、機械エネルギーを電気エネルギーに変換する圧電素子３を貼着する。基材２は、圧電素子３よりも若干大きいサイズで、適度な強度を有する薄板、例えばガラスエポキシ樹脂の薄いプリント基板を用いるのが好ましい。このようにすれば、圧電素子３の振動を容易にすると共に圧電素子３の補強を行うことができる。
【００２２】
なお、圧電素子３は基材２の両面に貼着することも可能である。圧電素子３は、可撓性を有する薄板短冊状のもので、発電量の違いにより、一枚からなるモノモルフ、二枚を積層したバイモルフ、複数枚を積層したマルチモルフがあり、その枚数が増加すればそれだけ発電量が多くなり、必要とする発電量からいずれかを選択して使用すればよい。この実施形態では、圧電素子３を基材２の片面に貼着したモノモルフ構造であるが、圧電素子３を基材２の両面に貼着したバイモルフ構造であってもよい。
【００２３】
また、その基材２に、駆動電源からの供給電力で発光する発光素子４ａ，４ｂを実装する。図示の圧電発光モジュール１では、発光素子４ａ，４ｂを基材２の端面と上下面の両方に配設したものであるが、発光素子４ａを基材２の端面に配設した水平タイプ、あるいは発光素子４ｂを基材２の上下面に配設した垂直タイプとするかは、圧電発光モジュール１の使用形態に応じて適宜設計変更が可能である。また、発光素子４ａ，４ｂとしては、赤色、青色、白色や緑色などの各種色合いの発光ダイオードを圧電発光モジュール１の使用形態に適合したものを選択すればよく、その個数も任意である。
【００２４】
駆動電源からの供給電力で発光素子４ａ，４ｂを発光させ、圧電素子３の変形による出力に基づいて発光素子４ａ，４ｂの発光状態を制御する制御回路５は、図３に示す回路構成を具備する。この制御回路５は、圧電素子３の出力に接続された整流回路６、増幅回路７、遅延回路８、ＬＥＤ駆動回路９および駆動電源としての電気二重層キャパシタ１０からなり、前述した図１および図２に示す基材２上に実装される。
【００２５】
この制御回路５において、特に、増幅回路７は、スイッチング素子であるトランジスタを含む電子部品で構成され、圧電素子３の出力を増幅する機能でもって発光素子４ａ，４ｂの発光状態を制御する。例えば、圧電素子３の変形がない時には、前述のトランジスタがオフ状態にあることから、発光素子４ａ，４ｂを微小電流でもって薄暗い程度で常時点灯させ、圧電素子３の変形があると、トランジスタのオンにより発光素子４ａ，４ｂに流れる電流を増加させることにより発光素子４ａ，４ｂの輝度を増加させる。このように発光素子４ａ，４ｂの発光状態を制御すれば、風鈴や釣竿などへの応用品として圧電発光モジュール１を使用した場合に好適である。
【００２６】
また、発光素子４ａ，４ｂの発光時間が比較的短いことから、風鈴や釣竿などの応用品としての使用形態によっては、遅延回路８を挿入接続することにより、発光素子４ａ，４ｂの発光時間を長くする必要もある。特に、この圧電発光モジュール１を風鈴に適用する場合、圧電素子３の振動の収束が風鈴の共鳴の時定数よりもはるかに短いことから、音響との整合性をとるために遅延回路８を設けることは有効である。
【００２７】
発光素子４ａ，４ｂを発光させるための駆動電源としては、圧電素子３が小型薄板状でその起電力も非常に低レベルであり、発光ダイオード等の発光体について十分な発光量を確保することが困難であることから、他の電源用素子を使用することが好ましい。外部電源により圧電発光モジュール１に電力を供給することも可能であるが、電池を外部電源とした場合、外部電源が大型となり風鈴や釣竿などへの応用品としては好適な手段ではない。
【００２８】
そこで、前述したように、発光素子４ａ，４ｂを発光させるための駆動電源として、電気二重層キャパシタ１０を制御回路５に組み込んで基材２上に実装した形態が好ましい。この電気二重層キャパシタ１０は充電可能であることから、その充電用端子１１を設けて圧電発光モジュール１の端部に導出する。
【００２９】
これら圧電素子３、発光素子４ａ，４ｂおよび制御回路５が実装された基材２からなるモジュール本体１２を、発光素子４ａ，４ｂの少なくとも一部を露呈させた状態で被覆材１３によりモールド一体化する。なお、前述したように電気二重層キャパシタ１０の充電用端子１１を設ける場合には、圧電発光モジュール１の端部で被覆材１３から露呈した状態で導出すればよい。
【００３０】
この被覆材１３としては、適度な硬度を持つものを使用することが好ましい。これにより、圧電発光モジュール１全体が一つの効率よく自由振動する剛体のようになる。この被覆材１３が軟らかいと、圧電発光モジュール１が他の物に衝突した時の衝撃力を被覆材１３が吸収して圧電発光モジュール１に与えられる振動エネルギーが減衰し、逆に、被覆材１３が硬すぎると、圧電発光モジュール１全体が自由振動しにくくなる。
【００３１】
このことから、被覆材１３の材質としては、エポキシ樹脂、フェノキシ樹脂、フェノール樹脂などの樹脂が好適である。なお、この圧電発光モジュール１は、その使用形態に応じては風雨に晒される場合もあるため、適宜の防水剤により防水加工を施すことが望ましい。
【００３２】
次に、前述した構成からなる圧電発光モジュール１の応用品としての竿先ライトと風鈴について詳述する。なお、図４〜図７は圧電発光モジュール１を釣竿２０に適用した場合、図８〜図１０は圧電発光モジュール１を風鈴３０に適用した場合をそれぞれ示す。なお、釣竿２０に適用した圧電発光モジュール１は、発光素子４ａのみを有する水平タイプのものを例示し、風鈴３０に適用した圧電発光モジュール１は、発光素子４ｂのみを有する垂直タイプのものを例示しているが、図１および図２に示すように発光素子４ａ，４ｂの両方を有するタイプでも使用可能であり、その使用形態に応じて最適な形態で発光素子を設けた圧電発光モジュール１を使用すればよい。
【００３３】
この圧電発光モジュール１を釣竿２０に使用する場合には、図４に示すように圧電発光モジュール１を竿本体２１の先端部２１ａにアタッチメント２２を利用して取り付ける。このアタッチメント２２は、図５に示すように長手方向寸法が圧電発光モジュール１よりも若干長い略円筒形状を有する樹脂製材料からなり、その下部に長手方向に沿って凹溝状の嵌合部２３が形成されている。アタッチメント２２は、その下部の弾性変形により嵌合部２３で竿本体２１に脱着される。
【００３４】
また、アタッチメント２２の上部には、圧電発光モジュール１を取り付けるための平坦状の収容部２４が設けられている。この収容部２４は、圧電発光モジュール１が収容可能な幅寸法を有し、その両側には圧電発光モジュール１の脱落を防止するための押さえ部２５が形成されている。
【００３５】
さらに、アタッチメント２２の収容部２４の端部には、圧電発光モジュール１の端部から突出した充電用端子１１を塩水などから保護することにより、防錆機能を発揮させるため、その充電用端子１１が格納される凹孔２６が設けられている。なお、充電用端子１１は、それ自体で防錆効果を発揮させるために金メッキ等が施されている。
【００３６】
圧電発光モジュール１を竿本体２１に取り付けるに際しては、まず、図６に示すように圧電発光モジュール１をアタッチメント２２にその端面横方向からスライドさせるようにして収容部２４に嵌め込むことにより取り付ける。その時、圧電発光モジュール１を収容部２４の最奥部までスライドさせることにより、充電用端子１１が凹孔２６に挿し込まれて保護される。
【００３７】
このようにして圧電発光モジュール１をアタッチメント２２に取り付けた状態（図７参照）で、そのアタッチメント２２を竿本体２１の先端部２１ａに装着する。アタッチメント２２の竿本体２１への装着は、嵌合部２３を竿本体２１に嵌め込むことによりワンタッチ式で行うことができる。なお、このようなアタッチメント２２を使用することにより、竿本体２１の先端部２１ａの径に適合した嵌合部２３を有するアタッチメント２２を用意しておけば、多品種の釣竿２０に対応することが可能である。また、アタッチメント２２を使用することなく、圧電発光モジュール１を粘着テープ等により竿本体２１の先端部２１ａに直接取り付けることや、圧電発光モジュール１自体を竿本体２１の先端部２１ａに嵌合する嵌合部を有する形状とし、その先端部２１ａに直接取り付けることも可能である。
【００３８】
圧電発光モジュール１をアタッチメント２２を介して竿本体２１に取り付けた状態では、圧電発光モジュール１の圧電素子３が変形していない状態であることから、電気二重層キャパシタ１０からの供給電圧に基づいて発光素子４ａをある程度の明るさでもって点灯させるようにしている。
【００３９】
そして、魚信があれば、竿本体２１の先端部２１ａのしなりにより、圧電発光モジュール１の圧電素子３が変形することでその圧電素子３を振動型センサとして制御回路５のトランジスタがオンすることにより、電気二重層キャパシタ１０からの供給電流が増幅され、その結果、発光素子４ａの輝度を増加させて点灯させる。このようにして、常時はある程度の明るさで点灯している発光素子４ａが、魚信があれば、その輝度が増加して点灯することから、夜釣りにおいてはうってつけであり、しかも、アミューズメント性を表現することができる。
【００４０】
次に、圧電発光モジュール１を風鈴３０に使用する場合には、図８および図９に示すようにその圧電発光モジュール１を風鈴３０の一部を構成するバチ部３１とする。つまり、風鈴３０は、紐３２で吊るされた音源である風体３３と、その風体３３の内部に紐３２で吊るされたバチ部３１と、そのバチ部３１の下方に吊るされた風受け３４とで構成され、風受け３４で風を受けることによりバチ部３１が風体３３に衝突することで音を発生させる構造である。なお、前述した風体３３は、樹脂、ガラスあるいは陶器など種々の材質のものが使用可能であるが、光を透過するものであることが好ましい。
【００４１】
圧電発光モジュール１を風鈴３０のバチ部３１として適用する場合、風受け３４で風を受けることによりバチ部３１が風体３３に衝突しやすくするために軽量化する必要がある。従って、駆動電源である電気二重層キャパシタ１０をモジュール本体１２に内蔵させずに別体とすることが望ましい。
【００４２】
そこで、電源部３５として電気二重層キャパシタ１０をバチ部３１の上方に配置し、その電気二重層キャパシタ１０と圧電発光モジュール１の発光素子４ｂおよび制御回路５との間を電気配線３６で接続する。この間の電気配線３６としては、軽量化と共に柔軟性を必要とすることから、例えば金糸線を紐３２に巻回して使う方法が考えられる。なお、図では、電源部３５を風体３３の内部に設けているが、風体３３の上方に配置することも可能である。また、バチ部３１としての圧電発光モジュール１は、風鈴３０の音色を確保するために風体３３への衝突時にできるだけ小さい面積で衝突することができるように円柱形状とすることが望ましい。
【００４３】
また、前述した電気二重層キャパシタ１０への充電を容易にするため、電源部３５に太陽電池３７を付設する。このように太陽電池３７を電気二重層キャパシタ１０と共に電源部３５に組み込むことにより、電気二重層キャパシタ１０を取り外す等して充電する手間が省ける。
【００４４】
なお、太陽電池３７は電源部３５とは別に構成することも可能であり、例えば太陽電池３７のみを風体３３の上方に配置してもよい。太陽電池３７を風体３３の内部に設ける場合には、太陽電池３７で受光可能なように、風体３３は光を透過するものであることが必要であるが、例えば太陽電池３７のみを風体３３の上方に配置する場合には、風体３３が必ずしも光を透過するものである必要はない。光を透過しない材料からなる風体３３を使用する場合、圧電発光モジュール１の発光素子４ｂの点灯を風鈴３０の下方から見て楽しむことができる。
【００４５】
ここで、圧電発光モジュール１を風鈴３０に適用した場合、電気二重層キャパシタ１０および太陽電池３７からなる電源部３５と、発光素子４ｂ、制御回路５および圧電素子３からなる圧電発光モジュール１の回路構成を図１０に示す。
【００４６】
同図に示すように電源部３５は、電気二重層キャパシタ１０と太陽電池３７の他に、第一のトランジスタ３８と第二のトランジスタ３９を含む電子部品で回路構成し、また、圧電発光モジュール１では、電源部３５の電気二重層キャパシタ１０からの供給電力で発光する発光素子４ｂに対して、その発光状態を圧電素子３の変形による出力に基づいて制御する制御回路において、バチ部３１に実装された圧電素子３の信号の減衰時定数が小さいことから、遅延回路８を挿入接続している。また、発光素子４ｂとしては、緑色と白色の発光ダイオードを二つずつ、計四つの発光ダイオードを使用している。
【００４７】
この回路構成においては、昼間における電気二重層キャパシタ１０の充電中はＶｂが負となり、第一のトランジスタ３８がオフ、第二のトランジスタ３９もオフした状態にあり、圧電発光モジュール１に電力が供給されることはない。一方、夜間には、電気二重層キャパシタ１０がフロート状態となり、バイアス電圧により第一のトランジスタ３８がオンし、第二のトランジスタ３９もオンすることにより、圧電発光モジュール１に電力が供給される。
【００４８】
前述の圧電発光モジュール１を釣竿２０に応用した場合と同様、夜間において、風がなく、バチ部３１の圧電発光モジュール１が風体３３に衝突しない状態では、圧電発光モジュール１の圧電素子３が変形していない状態であることから、電源部３５の電気二重層キャパシタ１０からの供給電力に基づいて発光素子４ｂをある程度の明るさでもって点灯させるようにしている。
【００４９】
そして、風受け３４で風を受けてバチ部３１が風体３３に衝突すると、風体３３が共鳴により音を発すると共に、そのバチ部３１の衝突により、圧電発光モジュール１の圧電素子３が変形することでその圧電素子３を振動型センサとして制御回路５のトランジスタ７がオンすることにより、電気二重層キャパシタ１０からの供給電流が増幅され、その結果、発光素子４ｂがその輝度を増加させて点灯する。
【００５０】
ここで、圧電発光モジュール１の振動の収束は、風体３３側の共鳴の時定数よりもはるかに短いため、前述した回路構成において遅延回路８を付加したことにより、音響との整合性をとるようにしている。
【００５１】
このようにして、常時はある程度の明るさで点灯している発光素子４ｂが、風によりバチ部３１が風体３３に衝突するたびに、その輝度が増加して点灯することから、夏の夜の納涼気分が満喫され、しかも、アミューズメント性を表現することができる。なお、風体３３としては、その表面を多数の平面にカットした形状のものとすれば、発光素子４ｂの輝度の増減を視覚性向上に反映させることが容易である。
【図面の簡単な説明】
【００５２】
【図１】本発明に係る圧電発光モジュールの実施形態を示す一部省略部分を含む平面図である。
【図２】図１の断面図である。
【図３】圧電発光モジュールの基本回路構成を示す回路図である。
【図４】圧電発光モジュールを釣竿に取り付けた状態を示す斜視図である。
【図５】圧電発光モジュールをアタッチメントに取り付ける前の状態を示す斜視図である。
【図６】圧電発光モジュールをアタッチメントに取り付ける前の状態を示す断面図である。
【図７】圧電発光モジュールをアタッチメントに取り付けた後の状態を示す断面図である。
【図８】圧電発光モジュールを風鈴に取り付けた状態を示す断面図である。
【図９】風鈴のバチ部として使用する圧電発光モジュールを示す斜視図である。
【図１０】圧電発光モジュールを風鈴に取り付ける場合の回路構成図である。
【符号の説明】
【００５３】
１  圧電発光モジュール
２  基材
３  圧電素子
４ａ，４ｂ  発光素子
５  制御回路
１０  電気二重層キャパシタ
１１  充電用端子
１２  モジュール本体
１３  被覆材
２０  釣竿
２１  竿本体
２１ａ  先端部
２２  アタッチメント
３０  風鈴
３１  バチ部
３３  風体
３５  電源部
３７  太陽電池
【図１】
2006210278.tif 000003
【図２】
2006210278.tif 000004
【図３】
2006210278.tif 000005
【図４】
2006210278.tif 000006
【図５】
2006210278.tif 000007
【図６】
2006210278.tif 000008
【図７】
2006210278.tif 000009
【図８】
2006210278.tif 000010
【図９】
2006210278.tif 000011
【図１０】
2006210278.tif 000012